(57)【特許請求の範囲】
【請求項１】
排水路に連通する溜水部が形成されるボウル部と、
前記ボウル部の上に設けられたリム面と、
第１の導水路を介して供給された洗浄水を前記ボウル部に向けて吐水するとともに、前記供給された洗浄水を前記リム面の略接線方向に吐水し前記リム面と前記ボウル部との境界付近を前方に流れる旋回流を形成する第１のスリット開口と、
前記第１の導水路を介して供給された洗浄水を前記ボウル部に向けて吐水するとともに、前記供給された洗浄水を前記リム面の略接線方向に吐水し前記リム面と前記ボウル部との境界付近を前方に流れる旋回流を形成する第２のスリット開口と、
前記第１のスリット開口と前記第２のスリット開口との間に設けられ、前記ボウル部に洗浄水を吐水する中央スリット開口と、
を備え、
前記第１のスリット開口から吐水される水流の流れ方向に対して略垂直な断面のスリット開口形状は、水平方向に偏平な形状とされ、
前記第２のスリット開口から吐水される水流の流れ方向に対して略垂直な断面のスリット開口形状は、水平方向に偏平な形状とされ、
前記第２のスリット開口から吐水される前記旋回流の旋回方向は、前記第１のスリット開口から吐水される前記旋回流の旋回方向とは反対であり、
前記第１のスリット開口と、前記中央スリット開口と、前記第２のスリット開口と、は、連続してなることを特徴とする水洗便器。
【請求項２】
前記リム面は略垂直に延在してなることを特徴とする請求項１記載の水洗便器。
【請求項３】
前記リム面の上端にオーバーハングが設けられてなることを特徴とする請求項１記載の水洗便器。
【請求項４】
前記溜水部に開口した吐水開口に洗浄水を供給する第２の導水路と、
前記中央スリット開口の後方に設けられ、前記第１の導水路と前記第２の導水路とを連通する連通口と、
をさらに備えたことを特徴とする請求項１〜３のいずれか１つに記載の水洗便器。
【請求項５】
前記第２の導水路から前記連通口を介して前記第１の導水路に供給された洗浄水が前記中央スリット開口から吐水されることを特徴とする請求項４記載の水洗便器。
【請求項６】
前記中央スリット開口の上端は、下方に向けて突出した突出部を有することを特徴とする請求項１〜５のいずれか１つに記載の水洗便器。
【発明の詳細な説明】
【技術分野】
【０００１】
本発明は、水洗便器に関し、具体的には、洗い落とし式、サイホン式、サイホンゼット式などの水洗便器に関する。
【背景技術】
【０００２】
水洗便器のリム部に吐水口を設け、ここらから洗浄水を吐水させて旋回流によりボウルを洗浄する水洗便器が開示されている（例えば、特許文献１、２）。このような洗浄方式によれば、便器のリム内側に汚れなどが付着・残留しにくく、清掃性も良好であり、また少ない水量で便器のボウル全面を効率的に洗浄できる。
【特許文献１】特開２００１−２７１４０７号公報
【特許文献２】特許第３３８１２６１号公報
【発明の開示】
【発明が解決しようとする課題】
【０００３】
このような水洗便器では、旋回流を形成する洗浄水が便器外に飛び出すことを防止するために、リム部にオーバーハングが設けられている。このようなリム部のオーバーハングをできるだけ少なくすることにより、清掃性がさらに良好となり、汚れなどの付着もより確実に防止できる。
【０００４】
本発明は、かかる課題の認識に基づいてなされたものであり、リム部のオーバーハングをできるだけ少なくできる水洗便器を提供する。
【課題を解決するための手段】
【０００５】
本発明の一態様によれば、排水路に連通する溜水部が形成されるボウル部と、前記ボウル部の上に設けられたリム面と、第１の導水路を介して供給された洗浄水を前記ボウル部に向けて吐水するとともに、前記供給された洗浄水を前記リム面の略接線方向に吐水し前記リム面と前記ボウル部との境界付近を前方に流れる旋回流を形成する第１のスリット開口と、前記第１の導水路を介して供給された洗浄水を前記ボウル部に向けて吐水するとともに、前記供給された洗浄水を前記リム面の略接線方向に吐水し前記リム面と前記ボウル部との境界付近を前方に流れる旋回流を形成する第２のスリット開口と、前記第１のスリット開口と前記第２のスリット開口との間に設けられ、前記ボウル部に洗浄水を吐水する中央スリット開口と、を備え、前記第１のスリット開口から吐水される水流の流れ方向に対して略垂直な断面のスリット開口形状は、水平方向に偏平な形状とされ、前記第２のスリット開口から吐水される水流の流れ方向に対して略垂直な断面のスリット開口形状は、水平方向に偏平な形状とされ、前記第２のスリット開口から吐水される前記旋回流の旋回方向は、前記第１のスリット開口から吐水される前記旋回流の旋回方向とは反対であり、前記第１のスリット開口と、前記中央スリット開口と、前記第２のスリット開口と、は、連続してなることを特徴とする水洗便器が提供される。
【発明の効果】
【０００６】
本発明によれば、リム部のオーバーハングをできるだけ少なくできる水洗便器が提供される。
【発明を実施するための最良の形態】
【０００７】
以下、本発明の実施の形態について図面を参照しつつ説明する。なお、各図面中、同様の構成要素には同一の符号を付して詳細な説明は適宜省略する。  
図１は、本発明の実施の形態にかかる水洗便器の平面図である。  
また、図２は、図１のＡ−Ａ線断面図である。  
また、図３は、図１のＢ−Ｂ線断面図である。
【０００８】
本実施形態の水洗便器１０の上面１２の前方には、ボウル部２０とその上に設けられたリム部３０が開口し、上面１２の後方には、洗浄水を導入するための給水口４０が開口している。給水口４０の上に、例えば図示しないロータンクを付設し、このロータンクから給水口４０に洗浄水を導入することができる。あるいは、水道からフラッシュバルブや電磁開閉弁などを介して給水口４０に洗浄水を導入してもよい。
【０００９】
ボウル部２０は、溜水水位２２よりも下方にあり、洗浄水を溜める溜水面２４と、溜水水位２２よりも上方において露出した露出面２６と、を有する。図３に表したように、溜水面２４の一部は下方に深く延在し、その後方には、排水路に連通する排水口６０が開口している。通常の状態において、溜水水位２２まで洗浄水が溜められた溜水部が形成されている。
【００１０】
一方、リム部３０は、ボウル部２０と上面１２との間において、水洗便器の開口端を周回するリム面３２を有する。そして、リム部３０の後方の中央付近には、中央スリット開口５４が設けられ、その左右には、水平方向に偏平なスリット開口５６、５６がそれぞれ開口している。中央スリット開口５４の後方には、分配部５０が設けられている。
【００１１】
本実施形態においては、左右の偏平なスリット開口５６、５６から、洗浄水がそれぞれ吐水される。スリット開口５６、５６から前方に向けて吐水された洗浄水は、左右にやや拡がりながらボウル部２０の露出面２６を前方に向けて流下し、ボウル部２０を洗浄する。また、スリット開口５６、５６からリム部３０のリム面３２の略接線方向に向けて吐水された洗浄水は、リム面３２の下端を旋回する旋回流を形成する。この旋回流は、リム面３２と露出面２６との境界２８に沿って前方に向けて流れる。
【００１２】
そして、本実施形態においては、これらスリット開口５６、５６から吐水される水流の流れ方向に対して略垂直な断面のスリット開口形状は、水平方向に偏平な形状とされている。こうすることにより、旋回流の上下方向の拡がりを抑え、スリット開口５６、５６から前方の左右方向へ広範囲に洗浄水を吐水することができる。そして、リム面３２と露出面２６との境界２８に沿って旋回する旋回流がリム面３２を這い上がって便器外に飛び出すことを抑制でき、露出面２６に洗浄水を行き渡らせることができる。その結果として、旋回流の飛び出しを抑制するためのリム面３２のオーバーハングを少なくすることができる。図２及び図３に表した具体例の場合、リム面３２はほぼ垂直に立設され、オーバーハングは殆ど形成されていない。つまり、リム面のオーバーハング量を、境界２８の下側の露出面２６の棚部２５（図２参照）の突出量よりも少なくすることができる。すなわち、スリット開口から左右方向のリム面３２に吐水された洗浄水は、リム面３２を上昇する流れではなく、リム面３２の下端に沿って前方へ向かう旋回流を形成する。    
このようにリム面のオーバーハング量を少なくすることにより、清掃性がさらに良好となり、汚れなどの付着もより確実に防止できる。
以下、本実施形態の水洗便器における洗浄水の導水路の構造と、洗浄水の流れについて説明する。  
図４は、本実施形態の水洗便器における導水路の構成を例示する一部断面模式図である。  
また、図５は、本実施形態の水洗便器における洗浄水の流れを説明するための模式図である。
【００１３】
また、図６は、スリット開口を正面方向から眺めた模式図である。
【００１４】
図４に表したように、水洗便器の上面１２の後方に設けられた給水口４０は、水洗便器の内部に形成された導水路４２に連通している。導水路４２は水洗便器１０の前方に向けて延設され、隔壁４４により上部導水路４６と下部導水路４８とに分岐している。すなわち、給水口４０から矢印Ａで表したように導入された洗浄水は、隔壁４４により矢印Ｂで表したように上下に分岐して、上部導水路４６と下部導水路４８にそれぞれ供給される。
【００１５】
上部導水路４６は隔壁４４の上側を水洗便器の前方に向けて延在し、図５に表したように、前方に向けてその流路幅（図５において左右方向の幅）が拡開した拡開部５３を有する。また、拡開部５３の上流側の端部の近傍において、上部導水路４６の中央付近に、分配部５０が設けられている。分配部５０は、上部導水路４６を流れる洗浄水を左右に分配し、それぞれ拡開部５３に導く。図５において矢印Ｂ１で表したように分配部５０により分配された洗浄水は、拡開部５３の左右の拡開した流路に沿って矢印Ｂ２で表したようにそれぞれ左右方向に流れの方向が変化し、矢印Ｆ１、矢印Ｃで表したように、前方に吐水される。矢印Ｆ１で表したようにスリット開口５６から前方に向けて吐水された洗浄水は、左右にやや拡がりながらスリット開口５６の下方から前方にかけてボウル部２０を洗浄する。一方、矢印Ｃで表したように、左右のスリット開口５６、５６からリム面３２の略接線方向に沿ってそれぞれ吐水された洗浄水は、図５に矢印Ｃ１で表したように、リム面３２とボウル部２０との境界２８に沿って前方に進む旋回流をそれぞれ形成し、リム面３２の下端付近を洗浄することができる。この旋回流は、リム面３２とボウル部２０との境界２８に沿って旋回し、リム面３２の前方の端部付近で合流し、矢印Ｃ２で表したように、ボウル部２０に流下することにより、ボウル部２０の前方の露出面２６の表面を洗浄し、排水口６０へ向けて主流を形成して、汚物を溜水とともに押し込む作用を有する。また、矢印Ｃ１で表した旋回流の一部は、矢印Ｆ２（図５参照）で表したようにボウル部２０に順次流下し、ボウル部２０の露出面２６の表面を順次洗浄する。
【００１６】
一方、隔壁４４の下方に形成された下部導水路４８は、図１及び図５に表したように溜水面２４の裏側を延在し、排水路の排水口６０に対向して設けられた吐水開口６２に連通している。すなわち、下部導水路４８を流れた洗浄水は、図５に矢印Ｇで表したように、吐水開口６２から排水路の排水口６０に向けて吐水される。この吐水流は、いわゆる「ゼット」として作用し、排泄物を含んだ洗浄水を、対向する排水口６０から排水路に向けて押し込む役割を有する。
【００１７】
一方、上部導水路４６に設けられた分配部５０の下流側には、連通口５２が設けられている。連通口５２は、図４に表したように、上部導水路４６と下部導水路４８とを連通している。この連通口５２は、下部導水路４８に洗浄水が流れ込む際に、いわゆる「空気抜き」の開口として作用する。すなわち、下部導水路４８の下流側は吐水開口６２に連通し、溜水の中に開口している。従って、下部導水路４８に洗浄水を円滑に導入するためには、導水路中に残留する空気を速やかに排出する必要がある。これに対して、本実施形態によれば、連通口５２を設けることにより、下部導水路４８に残留する空気を速やか排出し、図４に矢印Ｄで表したように、洗浄水を下部導水路４８に円滑に導入することができる。なお、連通口５２から排出される空気は、比較的広い流路となっている拡開部５３を経由して、スリット開口に排出される。このため、連通口５２から排出される圧縮された空気は、上面１２の裏側に当たり、拡開部５３を経由する際に、その勢いが抑制されてスリット開口から開放されるため、スリット開口からの水の飛び出しを抑制することができる。
【００１８】
またさらに、このようにして洗浄水が円滑に導入され、下部導水路４８が満水状態になると、その水の一部が下部導水路４８から連通口５２を介して上部導水路４６に溢れ出す。このようにして溢れ出した洗浄水は、中央スリット開口５４から下方に流下し、ボウル部２０の後方の露出面２６の表面を洗浄する。この時、中央スリット開口５４からは、図４〜図６に矢印Ｅで表したように、その下方のボウル部２０に向けて洗浄水が吐水される。吐水された洗浄水は、左右にやや拡がりながら、その下方に延在する露出面２６の表面を流下することによりボウル部２０を洗浄し、溜水表面に浮遊している汚物等を溜水内に押し込み、排水口６０へ誘導する作用を有する。
【００１９】
一方、左右のスリット開口５６、５６のうちの中央スリット開口５４に近い部分から吐水された洗浄水は、矢印Ｆ１で表したようにやや斜め下方に流れ、ボウル部２０の後方を洗浄する。この時、中央スリット開口５４から矢印Ｅの如く吐水された洗浄水の流れと、左右のスリット開口５６、５６から矢印Ｆ１の如く吐水された洗浄水の流れと、によりボウル部２０の後部の全体をカバーしてむらなく洗浄することができる。
【００２０】
このようにして左右のスリット開口５６、５６及び中央スリット開口５４から吐水された洗浄水によりリム面３２とボウル部２０の露出面２６がむらなく洗浄され、その水はボウル部２０の下方に流れ込んでボウル部２０の水位が上昇する。またこれと同時に、吐水開口６２から吐水された洗浄水により、排泄物を含んだ水は、排水路の排水口６０に押し込まれる。これらの流れにより、排泄物を含んだ洗浄水は、排水路の上昇水路６４（図４参照）を満水状態にし、さらに下降水路６６に急速に流れ出すことによりサイホン現象を引き起こして、一気に排出される。
【００２１】
洗浄水がサイホン現象により排水された後は、左右のスリット開口５６、５６や、吐水開口６２から吐水された洗浄水によりボウル部２０の水位が再び上昇し、溜水水位２２まで上昇する。
【００２２】
以上説明したように、本実施形態によれば、左右のスリット開口５６、５６から前方に向けて吐水される流れＦ１と、中央スリット開口５４から流下する流れＥと、ボウル部２０の後方から前方に亘る一部までが洗浄され、また、スリット開口５６、５６から吐水される旋回流Ｃ、Ｃ１、Ｃ２により、リム面３２の下端を洗浄し、また、これら旋回流の一部が流下することにより形成される流れＦ２によりボウル部２０の前方側がむらなく洗浄される。すなわち、左右のスリット開口５６、５６から吐水される流れＦ１、Ｃと、中央スリット開口５４から流下する流れＥと、によりボウル部２０の全面をむらなく洗浄することができる。
【００２３】
本発明者の実験によれば、上部導水路４６と下部導水路４８に供給する水量の合計量を４．３リッター程度にまで低下させても、ボウル部２０とリム部３０のほぼ全面にむらなく洗浄水を行き渡らして、水洗便器を確実に洗浄することができる。また、上部導水路４６に供給する洗浄水の量Ｖ１と下部導水路４８に供給する洗浄水の量Ｖ２の割合は、例えば、Ｖ１：Ｖ２＝３：７〜１：４の範囲内とすることができる。
【００２４】
そして、本実施形態においては、左右のスリット開口５６、５６から吐水される洗浄水の吐水流の断面形状を水平方向に偏平な形状にすることで、旋回流Ｃ１が水洗便器の外に飛び出すことを効果的に抑制できる。  
図７は、上部導水路の一部拡大平面図である。  
また、図８は、図７のＣ−Ｃ線断面図である。
【００２５】
上部導水路４６の拡開部５３は、矢印Ｂ２で表したように左右に流れの方向が分岐してスリット開口５６、５６からそれぞれ吐水する流路を形成している。この流路の流れ方向に対して略垂直な断面のスリット開口形状は、水平方向に偏平な形状とされている。例えば、分配部５０の側壁に対して略平行な水流がそれぞれ形成されると仮定した場合、矢印Ｂ２で表される水流の幅Ｗ（図７参照）と高さＨ（図８参照）との比率は、Ｗ：Ｈ＝２：１以上である。このように偏平な水流をスリット開口５６、５６からそれぞれ吐水させることにより、旋回流Ｃ１がリム面３２を上昇し、便器の上面１２を越えて飛び出すことを効果的に抑制できる。つまり、偏平な水流を吐水させることにより、上下方向の拡がりを抑制しつつ、所定の流量の旋回流を形成することができる。旋回流Ｃ１の上下方向、特に上方の拡がりを抑制することにより、リム面３２のオーバーハングを少なくできる。  
また、矢印Ｂ２で表される水流の流路の断面やスリット開口５６、５６の上下の端辺が直線に近いほど、吐水された旋回流の上下方向の拡がりが抑制できる傾向がみられた。  
また、スリット開口のリム面側の開口幅を中央の開口幅よりも漸次小さくし、リム面側の吐水量を少なくすることで、リム面側での洗浄水の上下方向の拡がりをより抑制できる。
【００２６】
図９は、図３の一部拡大図であり、リム面３２の近傍の断面図である。  
図９に表したように、本実施形態においては、リム面３２のオーバーハングが非常に少なく、リム面３２はほぼ垂直に近い面とされている。これは、スリット開口５６、５６から吐水される吐水流の流れ方向に対して略垂直な方向にみた断面を偏平な形状とすることにより、旋回流Ｃ１の上方への拡がりを効果的に抑止しているからである。すなわち、旋回流Ｃ１の上方への拡がりが大きい場合には、便器外への飛び出しを防ぐために、リム面３２のオーバーハングを大きくする必要がある。つまり、リム面３２の上部をボウルに向けて傾斜させる必要がある。  
図１０は、比較例に係る水洗便器の一部を表す模式断面図である。  
すなわち、図１０は、旋回流を形成する吐水口１５６の開口近傍の断面構造を表す。本比較例においては、吐水口１５６が殆ど偏平とされていない。このため、吐水口１５６から吐水された洗浄水が上下方向に拡がりやすい。このため、本比較例においては、旋回流の上下方向の拡がりを抑えるために、旋回流の流路となるリム面３２の下方に棚部１２５を設けるとともに、リム面３２の上方にも大きく突出したオーバーハング３２Ｐを設けている。つまり、旋回流の流路の上方にはオーバーハング３２Ｐが形成され、下方には棚部１２５が形成されている。そして、リム面３２の底面に対して、棚部１２５とオーバーハング３２Ｐの突出量Ｐ１は同程度とされている。
【００２７】
これに対して、本実施形態によれば、旋回流Ｃ１の上方への拡がりを抑制することにより、リム面３２のオーバーハングを可及的に少なくできる。すなわち、図１〜図６などに関して前述したように、リム面３２のオーバーハングを少なくすることができ、その突出量は、棚部２５の突出量よりも顕著に小さくすることが可能となる。その結果として、清掃性がさらに向上し、汚れなどの付着もさらに抑制することができる。
【００２８】
本実施形態の場合、図９に表したように、リム面３２は略垂直な面とされ、その下に連続するボウル部２０の露出面２６の上端が傾斜することにより、旋回流Ｃ１を下から支えて前方に向かわせる棚部２５として作用する。本実施形態によれば、スリット開口５６、５６から吐水された旋回流は、便器の前方端まで到達すればよく、それ以上周回する必要がないので、棚部２５の突出を少なくすることができる。例えば、棚部２５の上端における傾斜角度θを概ね４５度程度まで小さくすることも可能となる。つまり、棚部２５における凹凸や段差をへらし、ボウル面をより滑らかで連続的な曲面により形成することができる。ボウル面の凹凸や段差が減ると、汚れの付着や残留をより効果的に抑制でき、また例えば雑巾などでサッとむらなく拭き取ることも容易となり、清掃性もさらに向上させることができる。
【００２９】
図１１は、図７のＤ−Ｄ線断面図である。  
中央スリット開口５４の背後には連通口５２が設けられ、下部導水路４８から連通口５２を介して上部導水路４６に溢れでた洗浄水や、分配部５０により左右に分配された洗浄水の一部は、中央スリット開口５４から吐水される。  
そして、中央スリット開口５４の開口部において、上部導水路４６の上方には、下方に向けて突出した突出部５５（図４も参照）が設けられている。つまり、中央スリット開口５４が吐水される洗浄水は、突出部５５により、その向きが下方に向けて修正される。ここで仮に、中央スリット開口５４から吐水される洗浄水が矢印Ｙで表したように、前方に向けて勢いよく吐水されると、中央スリット開口５４の直下のボウル部２０の露出面２６が洗浄されないこともある。これに対して、本実施形態によれば、中央スリット開口５４から吐水される洗浄水の方向を突出部５５により下方に向けることによって、矢印Ｅで表したように直下のボウル部２０の露出面２６を流下させ、その表面をむらなく洗浄することができ、溜水表面に浮遊している汚物等を溜水内に押し込み排水口６０へ誘導する作用により洗浄を効果的に実行できる。
【００３０】
以下、本発明者が実施した実験の結果について説明する。  
図１２は、本発明者が試作した水洗便器におけるスリット開口の寸法を例示する模式図である。ここでは、左右のスリット開口５６、５６の端部までの幅Ｌ１を１８５ミリメータとし、中央スリット開口５４の幅Ｌ２を９０ミリメータとした。また、左右のスリット開口５６の高さＨ１は７ミリメータまたは６ミリメータとし、中央スリット開口５４の高さＨ２は６ミリメータまたは５ミリメータとした。
【００３１】
洗浄水は、ロータンクから給水口４０に供給し、その合計水量は４．３リッターとし、最大の瞬間流量は毎分２１０リッターとした。なお、上部導水路４６に供給する水量は１．２リッターとし、下部導水路４８に供給する水量は３．１リッターとした。
【００３２】
図１３は、評価の内容を説明するための模式図である。ここで、図１３（ａ）〜（ｃ）は、図１、図３、図２にそれぞれ対応する。  
図１３（ａ）〜（ｃ）に表したａ点及びｂ点においては、リム面３２を旋回する旋回流がどのくらい上方に拡がったかを測定した。すなわち、リム面３２と棚部２５との境界２８から旋回流Ｃ１の上端までの距離を測定した。なお、試作した水洗便器においては、境界２８から上面１２までの距離は、ａ点において４５ミリメータ、ｂ点において５５ミリメータである。また、リム面３２は、ほぼ垂直面すなわち鉛直方向に対して略平行な面とした。また、境界２８の直下の棚部２５の傾斜角度は、図９に関して前述したように、ほぼ４５度とした。  
一方、図１３（ａ）に表したｃ点においては、旋回流が到達し、その直下のボウル部２０の露出面２６に行き渡ったか否かを評価した。
【００３３】
表１は、リム面３２を流れる旋回流の瞬間流量を変えて実験した結果を表す。ここでは、ａ点とｂ点における境界２８から旋回流Ｃ１の上端までの距離（ミリメータ）を表した。また、ｃ点においては、その直下のボウル部２０の露出面２６に洗浄水が行き渡った場合を「○」とした。
【表１】
0005141174.tif 000002
ここで、スリット開口５６、５６の高さＨ１は７ミリメータとし、中央スリット開口５４の高さＨ２は６ミリメータとした。
【００３４】
表１の結果から、例えば、リム面３２を流れる旋回流の瞬間流量を毎分１００リッター以上とした場合でも、境界２８から旋回流の上端までの距離はａ点で６．０ミリメータ、ｂ点で５．０ミリメータであり、旋回流の上方への拡がりは十分に抑制されていることが分かる。そして、ｃ点において、旋回流が到達し、その直下のボウル部２０の露出面２６をむらなく洗浄できることが分かる。
【００３５】
従って、試作した水洗便器においては、境界２８から上面１２までの距離は、ａ点において４５ミリメータ、ｂ点において５５ミリメータとしたが、これらの距離をはるかに短くしてもよいことが分かる。例えば、境界２８から上面１２までの距離を、ａ点及びｂ点において、例えば１０ミリメータ程度とすれば、旋回流の飛び出しを抑制しつつ、リム面３２のほぼ全面を洗浄することができる。
【００３６】
次に、表２は、スリット開口の高さＨ１、Ｈ２をそれぞれ６ミリメータ、５ミリメータとした場合の結果を表す。ここでは、ａ点とｂ点における境界２８から旋回流Ｃ１の上端までの距離（ミリメータ）を表した。また、ｃ点においては、その直下のボウル部２０の露出面２６に洗浄水が行き渡った場合を「○」とした。  
【表２】
0005141174.tif 000003
表２から、スリット開口の高さＨ１、Ｈ２を低くすることにより、リム面３２を流れる旋回流の上方への拡がりをより効果的に抑制できることが分かる。また同時に、ｃ点における洗浄効果も高いレベルに維持することができる。
【００３７】
表２の結果から、開口の高さＨ１、Ｈ２を低くした場合には、境界２８から上面１２までの距離を、ａ点及びｂ点において、例えば５ミリメータ程度としても、旋回流の飛び出しを抑制しつつ、リム面３２のほぼ全面をむらなく洗浄することができることが分かる。
【００３８】
図１４〜図１６は、本実施形態の水洗便器の変型例を表す部分断面図である。すなわち、これらの図は、図１のＤ−Ｄ線断面図に対応する。
【００３９】
本実施形態においては、左右のスリット開口５６から吐水される洗浄水の水流の断面形状を偏平とすることにより、境界２８に沿って流れる旋回流の上方向の拡がりを抑制できる。しかし、このようにして上方向の拡がりが抑制された旋回流が左右から到達して水洗便器１０の前方の端部のリム面３２において合流する時、水勢が相乗されることにより水の一部が便器外に飛び出すこともあり得る。そこでこのような場合には、水洗便器の前方において、リム面３２にオーバーハングを設けてもよい。
【００４０】
この場合、図１４に表したように、リム面３２の上下方向の全体にわたって下方に傾斜させたオーバーハングを設けてもよい。または、図１５に表したように、リム面３２の上方のみに突出したオーバーハング３２Ｐを設けてもよい。このようにすれば、水洗便器の左右のリム面３２はほぼ垂直面としつつ、前方のみに必要に応じてオーバーハングを設けて、旋回流の飛び出しを確実に抑制しつつ、清掃性を可及的に良好にでき汚れなども可及的に防ぐことができる。  
なお、水洗便器の左右のリム面３２に対しても、図１４あるいは図１５に例示したようなオーバーハングを適宜設けてもよいことは言うまでもない。このような場合でも、本実施形態によれば、左右のスリット開口５６から吐水される洗浄水の水流の断面形状を偏平とすることにより、リム面３２を流れる旋回流の上方向の拡がりを抑制できるので、オーバーハングの量を可及的に少なくすることができる。
【００４１】
さらに、図１６に表したように、リム面３２を上下方向の全体にわたって外側に傾斜するようにしてもよい。このようにすることで、リム面３２及びボウル部２０の表面の全体を上方から使用者が目視でき、より清掃性に優れたものとなる。
【００４２】
以上、具体例を参照しつつ、本発明の実施の形態について説明した。しかし、本発明はこれらの具体例に限定されるものではない。前述の実施の形態に関して、当業者が適宜設計変更を加えたものも、本発明の特徴を備えている限り、本発明の範囲に包含される。例えば、水洗便器の形状やサイズ、構造について、例示したものに限定されるわけではなく、適宜変更することができる。水洗便器の材料についても、陶器により形成することもできるが、これ以外にも、例えばアクリルなどの樹脂やその他、各種の有機材料やその表面に各種の被覆を施したものも用いることができる。  
また、前述した各具体例が備える各要素は、技術的に可能な限りにおいて組み合わせることができ、これらを組み合わせたものも本発明の特徴を含む限り本発明の範囲に包含される。
【図面の簡単な説明】
【００４３】
【図１】本発明の実施の形態にかかる水洗便器の平面図である。
【図２】図１のＡ−Ａ線断面図である。
【図３】図１のＢ−Ｂ線断面図である。
【図４】本実施形態の水洗便器における導水路の構成を例示する一部断面模式図である。
【図５】本実施形態の水洗便器における洗浄水の流れを説明するための模式図である。
【図６】スリット開口を正面方向から眺めた模式図である。
【図７】上部導水路の一部拡大平面図である。
【図８】図７のＣ−Ｃ線断面図である。
【図９】図３の一部拡大図であり、リム面３２の近傍を断面図である。
【図１０】比較例に係る水洗便器の一部を表す模式断面図である。
【図１１】図７のＤ−Ｄ線断面図である。
【図１２】本発明者が試作した水洗便器におけるスリット開口の寸法を例示する模式図である。
【図１３】評価の内容を説明するための模式図であり、（ａ）〜（ｃ）は、図１、図３、図２にそれぞれ対応する。
【図１４】本実施形態の水洗便器の変型例を表す部分断面図であり、図１のＤ−Ｄ線断面図に対応する。
【図１５】本実施形態の水洗便器の変型例を表す部分断面図であり、図１のＤ−Ｄ線断面図に対応する。
【図１６】本実施形態の水洗便器の変型例を表す部分断面図であり、図１のＤ−Ｄ線断面図に対応する。
【符号の説明】
【００４４】
１０ 水洗便器、 １２ 上面、 ２０ ボウル部、 ２２ 溜水水位、 ２４ 溜水面、 ２５ 棚部、 ２６ 露出面、 ２８ 境界、 ３０ リム部、 ３２ リム面、 ３２Ｐ オーバーハング、 ４０ 給水口、 ４２ 導水路、 ４４ 隔壁、 ４６ 上部導水路、 ４８ 下部導水路、 ５０ 分配部、 ５２ 連通口、 ５３ 拡開部、 ５４ 中央スリット開口、 ５５ 突出部、 ５６ スリット開口、 ６０ 排水口、 ６２ 吐水開口、 ６４ 上昇水路、 ６６ 下降水路、Ｃ１ 旋回流
【図１】
0005141174.tif 000004
【図２】
0005141174.tif 000005
【図３】
0005141174.tif 000006
【図４】
0005141174.tif 000007
【図５】
0005141174.tif 000008
【図６】
0005141174.tif 000009
【図７】
0005141174.tif 000010
【図８】
0005141174.tif 000011
【図９】
0005141174.tif 000012
【図１０】
0005141174.tif 000013
【図１１】
0005141174.tif 000014
【図１２】
0005141174.tif 000015
【図１３】
0005141174.tif 000016
【図１４】
0005141174.tif 000017
【図１５】
0005141174.tif 000018
【図１６】
0005141174.tif 000019